(57)【要約】      （修正有）【課題】玉発射用ハンドルの可動部を固定する器具を提供する。【解決手段】テープ形状をしており、その一方の面Ａは中央部が剥離紙を取り付けた粘着面であり、その粘着面の両側が非粘着面であり、それらの外側にある一方の端部２３及び他方の端部２４が共に非粘着面であるか、又は一方の端部２３が面ファスナーの雄であり、かつ他方の端部２４が非粘着面である構成からなる。他方の面Ｂは端部を除く全面が剥離紙を取り付けた粘着面又は非粘着面であり、他方の面Ｂの他方の端部２６は、一方の面Ａの一方の端部２３と接合し、当該一方の面Ａの一方の端部２３が非粘着面である場合に、剥離紙を取り付けた粘着面であり、当該一方の面Ａの一方の端部２３が面ファスナーの雄である場合に、面ファスナーの雌であり、かつ前記他方の面Ｂの一方の端部２５は、他方の面Ｂの全面と同じ剥離紙を取り付けた粘着面又は非粘着面である構成からなることを特徴とする。【選択図】図５
0003189248.tif 000002
【実用新案登録請求の範囲】
【請求項１】
テープ形状をしており、その一方の面Ａは中央部が剥離紙を取り付けた粘着面であり、その粘着面の両側が非粘着面であり、それらの外側にある端部ａ１及びａ２が共に非粘着面であるか、又は一方の端部ａ１が面ファスナーの雄であり、かつ他方の端部ａ２が非粘着面である構成からなり、他方の面Ｂは端部を除く全面が剥離紙を取り付けた粘着面又は非粘着面であり、その端部ｂ１及びｂ２がそれぞれ面Ａの端部ａ１及びａ２と表裏の関係にあり、端部ｂ２は、面Ａの端部ａ１と接合し、当該端部ａ１が非粘着面である場合に、剥離紙を取り付けた粘着面であり、面Ａの端部ａ１が面ファスナーの雄である場合に、面ファスナーの雌であり、かつ端部ｂ１は当該全面と同じ剥離紙を取り付けた粘着面又は非粘着面である構成からなることを特徴とするパチンコ機玉発射用ハンドルの可動部固定具。
【請求項２】
面Ａの端部ａ１及びａ２が共に非粘着面であって粘着面の両側にある非粘着面と一体化されており、かつ面Ｂの端部ｂ１及びｂ２が共に剥離紙を取り付けた粘着面であって全面の剥離紙を取り付けた粘着面と一体化されている請求項１に記載のパチンコ機玉発射用ハンドルの可動部固定具。
【請求項３】
面Ａがハンドル接触面であり、面Ｂが指接触面である請求項１又は２に記載のパチンコ機玉発射用ハンドルの可動部固定具。
【考案の詳細な説明】
【技術分野】
【０００１】
本考案は、パチンコ機玉発射用ハンドルの可動部を固定する器具に関する。
【背景技術】
【０００２】
従来、パチンコ機の玉発射用ハンドルの可動部を固定する方法として、図３に示すパチンコ機の玉発射用ハンドルの可動部１５を固定するためにコインや様々な代用品を可動部１５とハンドル固定部１３の隙間に挟むことが多く見受けられるが、直接ハンドルを固定するものは、全て現行法規に違反している（特許文献１〜４参照）。
【先行技術文献】
【特許文献】
【０００３】
【特許文献１】特開２００１−１５７７３７号公報
【特許文献２】特開２００１−２３９００３号公報
【特許文献３】実用新案登録第３１６０１９３号公報
【特許文献４】実用新案登録第３０６５９３０号公報
【考案の概要】
【考案が解決しようとする課題】
【０００４】
パチンコ機を遊技する上で、玉発射用ハンドルの可動部の回し具合で玉の発射強弱を調整することができ、右（時計回り）に回す程、盤面の右の方に玉が飛んで行く。このハンドルは遊技者の手で握り、可動部を希望の位置まで右に回し、手の力で固定する。可動部はバネの力で元の位置（反時計回り）に戻ろうとする力が働き、可動部を同じ位置に長時間保持するには、遊技者の手の力で固定する必要があるので、手には疲労が溜まってくる。
従来の固定具は、玉発射用ハンドルの故障や破損の原因になる。また、当該ハンドルが破損した場合、その破損部によって遊技者の手を痛める恐れがある。
【０００５】
本考案は、玉発射用ハンドルの故障や破損を引き起こすことのない玉発射用ハンドルの可動部を固定する器具を提供することを目的とする。
【課題を解決するための手段】
【０００６】
本考案のパチンコ機玉発射用ハンドルの可動部固定具は、テープ形状をしており、その一方の面Ａは中央部が剥離紙を取り付けた粘着面であり、その粘着面の両側が非粘着面であり、それらの外側にある端部ａ１及びａ２が共に非粘着面であるか、又は一方の端部ａ１が面ファスナーの雄であり、かつ他方の端部ａ２が非粘着面である構成からなり、他方の面Ｂは端部を除く全面が剥離紙を取り付けた粘着面又は非粘着面であり、その端部ｂ１及びｂ２がそれぞれ面Ａの端部ａ１及びａ２と表裏の関係にあり、端部ｂ２は、面Ａの端部ａ１と接合し、当該端部ａ１が非粘着面である場合に、剥離紙を取り付けた粘着面であり、面Ａの端部ａ１が面ファスナーの雄である場合に、面ファスナーの雌であり、かつ端部ｂ１は当該全面と同じ剥離紙を取り付けた粘着面又は非粘着面である構成からなることを特徴とする。
本考案に係る固定具として、面Ａの端部ａ１及びａ２が共に非粘着面であって粘着面の両側にある非粘着面と一体化されており、かつ面Ｂの端部ｂ１及びｂ２が共に剥離紙を取り付けた粘着面であって全面の剥離紙を取り付けた粘着面と一体化されているものが最もシンプルである。
【０００７】
本考案に係る固定具は、面Ａがハンドル接触面であり、面Ｂが指接触面である。
本考案に係る固定具は、テープ状をしており、その面Ｂを遊技者の指に接触させ、長さ方向で指の周囲に回し、端部ｂ２と玉発射用ハンドルに接触させる面Ａの端部ａ１とを接合させることにより指に固定する。面Ｂ及びその両端部が粘着面である場合には、剥離紙を必要に応じて粘着面から取り除いて使用する。指は１本でも複数本でもよく、テープ状の固定具の長さに応じて調整することができる。遊技者の指に固定した固定具を、その面Ａの中央部の粘着面において、剥離紙を除去した後に、玉発射用ハンドルの固定部と可動部に接触させることにより、玉発射用ハンドルの可動部を固定することができる。
【０００８】
本考案に係るテープ形状の固定具は、遊技者により指の大きさが異なるため、長さの異なる固定具が複数用意される。固定具を遊技者の人差し指と中指の指２本に巻き付けて使用する場合、固定具の長さは、例えば、７０ｍｍから２００ｍｍの間にあるのが好ましく、７０ｍｍから１５０ｍｍの間にあるのがより好ましい。基本的には、固定具の面Ｂの端部ｂ２と面Ａの端部ａ１を接合させることができるように遊技者は固定具を選択する。固定具の幅は、固定具を遊技者の指に安定に固定させる観点から２０ｍｍから５０ｍｍの間にあるのが好ましく、２５ｍｍから４０ｍｍの間にあるのがより好ましい。固定具の厚みは、嵩張らない程度であればよく、通常０．５ｍｍから５ｍｍの間である。
【０００９】
面Ａは中央部が剥離紙を取り付けた粘着面であり、その粘着面の両側が非粘着面であり、それらの外側にある端部ａ１及びａ２が共に非粘着面であるか、又は一方の端部ａ１が面ファスナーの雄であり、かつ他方の端部ａ２が非粘着面である構成からなる。
中央部の粘着面で玉発射用ハンドルの固定部と可動部に接着して当該可動部を固定するため、中央部の長手方向に占める幅は、２０ｍｍから６０ｍｍの間にあるのが好ましく、２０ｍｍから４０ｍｍの間にあるのがより好ましい。粘着面の両側の非粘着面の長手方向に占める幅及び両端部の大きさは、固定具の長さから中央部の幅を差引いて適宜調整される。端部ａ１は面Ｂの端部ｂ２と接合して固定されるため、そのための大きさを確保する必要があるが、非粘着面である端部ａ１及び端部ａ２は粘着面の両側にある非粘着面と同化して一体化されていてもよい。
【００１０】
面Ｂは端部を除く全面が剥離紙を取り付けた粘着面又は非粘着面であり、その端部ｂ１及びｂ２がそれぞれ面Ａの端部ａ１及びａ２と表裏の関係にあり、端部ｂ２は、面Ａの端部ａ１と接合し、当該端部ａ１が非粘着面である場合に、剥離紙を取り付けた粘着面であり、面Ａの端部ａ１が面ファスナーの雄である場合に、面ファスナーの雌であり、かつ端部ｂ１は当該全面と同じ剥離紙を取り付けた粘着面又は非粘着面である構成からなる。
端部ｂ２は面Ａの端部ａ１と接合して固定されるため、そのための大きさを確保する必要があるが、端部ｂ１は全面と同じ剥離紙を取り付けた粘着面又は非粘着面であるため、面Ｂの全面と同化して一体化されていてもよい。また、剥離紙を取り付けた粘着面である端部ｂ２は、面Ｂの剥離紙を取り付けた粘着面である全面と同化して一体化されていてもよい。
【００１１】
本考案に係る固定具の基材としては、ウレタン不織布、塩化ビニル、伸縮性綿布、スポンジシート、ウレタンフィルム、オレフィンフィルムなどが使用され、粘着面にはアクリル系粘着剤、ゴム系粘着剤、シリコーン系粘着剤などが使用される。剥離紙としては、半晒、上質紙、グラシン紙などの基材の片面にシリコーン樹脂が塗布されて剥離加工を施したものが使用される。
【００１２】
本考案に係る固定具は、例えば、両面テープの製法と片面テープの製法を組み合わせることによって製造することができる。
【考案の効果】
【００１３】
本考案に係る固定具は、パチンコ機の玉発射用ハンドルの故障や破損を引き起こすことはなく、玉発射用ハンドルの可動部を固定することができる。
本考案に係る固定具は、パチンコ機の遊技者に害を及ぼすことがないので、非常に安全であり、しかも遊技者の手に負担を掛けることが少ない。
【図面の簡単な説明】
【００１４】
【図１】パチンコ機の外観を示す斜視図である。
【図２】パチンコ機を真上から見た平面図である。
【図３】パチンコ機の玉発射用ハンドルに固定具を設置した状態を示す平面図である。
【図４】パチンコ機の玉発射用ハンドルに本考案に係る固定具を設置した状態を示す側面図である。
【図５】上図は本考案に係る固定具の面Ａ（ハンドル接触面）を示す平面図であり、下図は面Ｂ（指接触面）を示す底面図である。
【考案を実施するための形態】
【００１５】
以下、本考案の一実施形態を図面に基づいて説明する。
図１にパチンコ機の外観を示しており、図２にパチンコ機の本体（１１）を真上から見た平面図において、玉発射用ハンドルの本体（１２）の位置を示している。
図３は、パチンコ機の玉発射用ハンドル（１２）の可動部（１５）を固定するために、従来の固定具（１４）を玉発射用ハンドル（１２）の固定部（１３）と可動部（１５）に跨って設置した状態を示している。
図４は、パチンコ機の玉発射用ハンドル（１２）の可動部（１５）を固定するために、指（１７）に巻かれた状態の本考案に係る固定具（１８）を玉発射用ハンドル（１２）の固定部（１３）と可動部（１５）に跨って接触させた状態を側面から示している。
【００１６】
図５の上図は、本考案に係る固定具の面Ａ（ハンドル接触面）を示しており、中央部（２２）が剥離紙を取り付けた粘着面であり、その粘着面の両側（２０，２１）が非粘着面であり、それらの外側にある端部ａ１（２３）及びａ２（２４）が共に非粘着面であるか、又は一方の端部ａ１（２３）が面ファスナーの雄であり、かつ他方の端部ａ２（２４）が非粘着面である構成を示している。下図は、本考案に係る固定具の面Ｂ（指接触面）を示しており、端部を除く全面（２７）が剥離紙を取り付けた粘着面又は非粘着面であり、その端部ｂ１（２５）及びｂ２（２６）がそれぞれ面Ａの端部ａ１（２３）及びａ２（２４）と表裏の関係にあり、端部ｂ２（２６）は、面Ａの端部ａ１（２３）と接合し、端部ａ１（２３）が非粘着面である場合に、剥離紙を取り付けた粘着面であり、面Ａの端部ａ１（２３）が面ファスナーの雄である場合に、面ファスナーの雌であり、かつ端部ｂ１（２５）は全面（２７）と同じ剥離紙を取り付けた粘着面又は非粘着面である構成を示している。面Ａにおいて端部ａ２（２４）はその内側の非粘着面（２１）と同じ非粘着面であるため、端部ａ２（２４）は非粘着面（２１）と区別する必要はなく、当該非粘着面に同化していてもよい。また、面Ｂにおいて端部ｂ１（２５）は全面（２７）と同じ剥離紙を取り付けた粘着面又は非粘着面であるため、端部ｂ１（２５）は全面（２７）と区別する必要はなく、当該全面に同化していてもよい。
【産業上の利用可能性】
【００１７】
本考案により、パチンコ機の玉発射用ハンドルの故障や破損を引き起こすことがなく、パチンコ機の遊技者に害を及ぼすことがなく非常に安全であり、しかも遊技者の手に負担を掛けることが少ない、玉発射用ハンドルの可動部を固定する固定具が提供される。
【符号の説明】
【００１８】
１１    パチンコ機の本体
１２    玉発射用ハンドルの本体
１３    玉発射用ハンドルの固定部
１４    固定具
１５    玉発射用ハンドルの可動部
１６    玉発射用ハンドルの可動部にある指掛け
１７    指
１８    指に巻かれた状態の本考案に係る固定具
１９    本考案に係る固定具の粘着面
２０    非粘着面
２１    非粘着面
２２    中央部の剥離紙を取り付けた粘着面（ハンドル接触面）
２３    非粘着面又は面ファスナー（雄）
２４    非粘着面
２５    剥離紙を取り付けた粘着面又は非粘着面
２６    剥離紙を取り付けた粘着面又は面ファスナー（雌）
２７    剥離紙を取り付けた粘着面又は非粘着面（指接触面）
【図１】
0003189248.tif 000003
【図２】
0003189248.tif 000004
【図３】
0003189248.tif 000005
【図４】
0003189248.tif 000006
【図５】
0003189248.tif 000007
【手続補正書】
【提出日】平成25年10月18日(2013.10.18)
【手続補正１】
【補正対象書類名】実用新案登録請求の範囲
【補正対象項目名】全文
【補正方法】変更
【補正の内容】
【実用新案登録請求の範囲】
【請求項１】
テープ形状をしており、その一方の面（Ａ）は中央部が剥離紙を取り付けた粘着面であり、その粘着面の両側が非粘着面であり、それらの外側にある端部（２３）及び（２４）が共に非粘着面であるか、又は一方の端部（２３）が面ファスナーの雄であり、かつ他方の端部（２４）が非粘着面である構成からなり、他方の面（Ｂ）は端部を除く全面が剥離紙を取り付けた粘着面又は非粘着面であり、その端部（２５）及び（２６）がそれぞれ面（Ａ）の端部（２３）及び（２４）と表裏の関係にあり、端部（２６）は、面（Ａ）の端部（２３）と接合し、当該端部（２３）が非粘着面である場合に、剥離紙を取り付けた粘着面であり、面（Ａ）の端部（２３）が面ファスナーの雄である場合に、面ファスナーの雌であり、かつ端部（２５）は当該全面と同じ剥離紙を取り付けた粘着面又は非粘着面である構成からなることを特徴とするパチンコ機玉発射用ハンドルの可動部固定具。
【請求項２】
面（Ａ）の端部（２３）及び（２４）が共に非粘着面であって粘着面の両側にある非粘着面と一体化されており、かつ面（Ｂ）の端部（２５）及び（２６）が共に剥離紙を取り付けた粘着面であって全面の剥離紙を取り付けた粘着面と一体化されている請求項１に記載のパチンコ機玉発射用ハンドルの可動部固定具。
【請求項３】
面（Ａ）がハンドル接触面であり、面（Ｂ）が指接触面である請求項１又は２に記載のパチンコ機玉発射用ハンドルの可動部固定具。
【手続補正２】
【補正対象書類名】明細書
【補正対象項目名】全文
【補正方法】変更
【補正の内容】
【考案の詳細な説明】
【技術分野】
【０００１】
本考案は、パチンコ機玉発射用ハンドルの可動部を固定する器具に関する。
【背景技術】
【０００２】
従来、パチンコ機の玉発射用ハンドルの可動部を固定する方法として、図３に示すパチンコ機の玉発射用ハンドルの可動部（１５）を固定するためにコインや様々な代用品を可動部（１５）とハンドル固定部（１３）の隙間に挟むことが多く見受けられるが、直接ハンドルを固定するものは、全て現行法規に違反している（特許文献１〜４参照）。
【先行技術文献】
【特許文献】
【０００３】
【特許文献１】特開２００１−１５７７３７号公報
【特許文献２】特開２００１−２３９００３号公報
【特許文献３】実用新案登録第３１６０１９３号公報
【特許文献４】実用新案登録第３０６５９３０号公報
【考案の概要】
【考案が解決しようとする課題】
【０００４】
パチンコ機を遊技する上で、玉発射用ハンドルの可動部の回し具合で玉の発射強弱を調整することができ、右（時計回り）に回す程、盤面の右の方に玉が飛んで行く。このハンドルは遊技者の手で握り、可動部を希望の位置まで右に回し、手の力で固定する。可動部はバネの力で元の位置（反時計回り）に戻ろうとする力が働き、可動部を同じ位置に長時間保持するには、遊技者の手の力で固定する必要があるので、手には疲労が溜まってくる。
従来の固定具は、玉発射用ハンドルの故障や破損の原因になる。また、当該ハンドルが破損した場合、その破損部によって遊技者の手を痛める恐れがある。
【０００５】
本考案は、玉発射用ハンドルの故障や破損を引き起こすことのない玉発射用ハンドルの可動部を固定する器具を提供することを目的とする。
【課題を解決するための手段】
【０００６】
本考案のパチンコ機玉発射用ハンドルの可動部固定具は、テープ形状をしており、その一方の面（Ａ）は中央部が剥離紙を取り付けた粘着面であり、その粘着面の両側が非粘着面であり、それらの外側にある端部（２３）及び（２４）が共に非粘着面であるか、又は一方の端部（２３）が面ファスナーの雄であり、かつ他方の端部（２４）が非粘着面である構成からなり、他方の面（Ｂ）は端部を除く全面が剥離紙を取り付けた粘着面又は非粘着面であり、その端部（２５）及び（２６）がそれぞれ面（Ａ）の端部（２３）及び（２４）と表裏の関係にあり、端部（２６）は、面（Ａ）の端部（２３）と接合し、当該端部（２３）が非粘着面である場合に、剥離紙を取り付けた粘着面であり、面（Ａ）の端部（２３）が面ファスナーの雄である場合に、面ファスナーの雌であり、かつ端部（２５）は当該全面と同じ剥離紙を取り付けた粘着面又は非粘着面である構成からなることを特徴とする。
本考案に係る固定具として、面（Ａ）の端部（２３）及び（２４）が共に非粘着面であって粘着面の両側にある非粘着面と一体化されており、かつ面（Ｂ）の端部（２５）及び（２６）が共に剥離紙を取り付けた粘着面であって全面の剥離紙を取り付けた粘着面と一体化されているものが最もシンプルである。
【０００７】
本考案に係る固定具は、面（Ａ）がハンドル接触面であり、面（Ｂ）が指接触面である。
本考案に係る固定具は、テープ状をしており、その面（Ｂ）を遊技者の指に接触させ、長さ方向で指の周囲に回し、端部（２６）と玉発射用ハンドルに接触させる面（Ａ）の端部（２３）とを接合させることにより指に固定する。面（Ｂ）及びその両端部が粘着面である場合には、剥離紙を必要に応じて粘着面から取り除いて使用する。指は１本でも複数本でもよく、テープ状の固定具の長さに応じて調整することができる。遊技者の指に固定した固定具を、その面（Ａ）の中央部の粘着面において、剥離紙を除去した後に、玉発射用ハンドルの固定部と可動部に接触させることにより、玉発射用ハンドルの可動部を固定することができる。
【０００８】
本考案に係るテープ形状の固定具は、遊技者により指の大きさが異なるため、長さの異なる固定具が複数用意される。固定具を遊技者の人差し指と中指の指２本に巻き付けて使用する場合、固定具の長さは、例えば、７０ｍｍから２００ｍｍの間にあるのが好ましく、７０ｍｍから１５０ｍｍの間にあるのがより好ましい。基本的には、固定具の面（Ｂ）の端部（２６）と面（Ａ）の端部（２３）を接合させることができるように遊技者は固定具を選択する。固定具の幅は、固定具を遊技者の指に安定に固定させる観点から２０ｍｍから５０ｍｍの間にあるのが好ましく、２５ｍｍから４０ｍｍの間にあるのがより好ましい。固定具の厚みは、嵩張らない程度であればよく、通常０．５ｍｍから５ｍｍの間である。
【０００９】
面（Ａ）は中央部が剥離紙を取り付けた粘着面であり、その粘着面の両側が非粘着面であり、それらの外側にある端部（２３）及び（２４）が共に非粘着面であるか、又は一方の端部（２３）が面ファスナーの雄であり、かつ他方の端部（２４）が非粘着面である構成からなる。
中央部の粘着面で玉発射用ハンドルの固定部と可動部に接着して当該可動部を固定するため、中央部の長手方向に占める幅は、２０ｍｍから６０ｍｍの間にあるのが好ましく、２０ｍｍから４０ｍｍの間にあるのがより好ましい。粘着面の両側の非粘着面の長手方向に占める幅及び両端部の大きさは、固定具の長さから中央部の幅を差引いて適宜調整される。端部（２３）は面（Ｂ）の端部（２６）と接合して固定されるため、そのための大きさを確保する必要があるが、非粘着面である端部（２３）及び端部（２４）は粘着面の両側にある非粘着面と同化して一体化されていてもよい。
【００１０】
面（Ｂ）は端部を除く全面が剥離紙を取り付けた粘着面又は非粘着面であり、その端部（２５）及び（２６）がそれぞれ面（Ａ）の端部（２３）及び（２４）と表裏の関係にあり、端部（２６）は、面（Ａ）の端部（２３）と接合し、当該端部（２３）が非粘着面である場合に、剥離紙を取り付けた粘着面であり、面（Ａ）の端部（２３）が面ファスナーの雄である場合に、面ファスナーの雌であり、かつ端部（２５）は当該全面と同じ剥離紙を取り付けた粘着面又は非粘着面である構成からなる。
端部（２６）は面（Ａ）の端部（２３）と接合して固定されるため、そのための大きさを確保する必要があるが、端部（２５）は全面と同じ剥離紙を取り付けた粘着面又は非粘着面であるため、面（Ｂ）の全面と同化して一体化されていてもよい。また、剥離紙を取り付けた粘着面である端部（２６）は、面（Ｂ）の剥離紙を取り付けた粘着面である全面と同化して一体化されていてもよい。
【００１１】
本考案に係る固定具の基材としては、ウレタン不織布、塩化ビニル、伸縮性綿布、スポンジシート、ウレタンフィルム、オレフィンフィルムなどが使用され、粘着面にはアクリル系粘着剤、ゴム系粘着剤、シリコーン系粘着剤などが使用される。剥離紙としては、半晒、上質紙、グラシン紙などの基材の片面にシリコーン樹脂が塗布されて剥離加工を施したものが使用される。
【００１２】
本考案に係る固定具は、例えば、両面テープの製法と片面テープの製法を組み合わせることによって製造することができる。
【考案の効果】
【００１３】
本考案に係る固定具は、パチンコ機の玉発射用ハンドルの故障や破損を引き起こすことはなく、玉発射用ハンドルの可動部を固定することができる。
本考案に係る固定具は、パチンコ機の遊技者に害を及ぼすことがないので、非常に安全であり、しかも遊技者の手に負担を掛けることが少ない。
【図面の簡単な説明】
【００１４】
【図１】パチンコ機の外観を示す斜視図である。
【図２】パチンコ機を真上から見た平面図である。
【図３】パチンコ機の玉発射用ハンドルに固定具を設置した状態を示す平面図である。
【図４】パチンコ機の玉発射用ハンドルに本考案に係る固定具を設置した状態を示す側面図である。
【図５】上図は本考案に係る固定具の面（Ａ）（ハンドル接触面）を示す平面図であり、下図は面（Ｂ）（指接触面）を示す底面図である。
【考案を実施するための形態】
【００１５】
以下、本考案の一実施形態を図面に基づいて説明する。
図１にパチンコ機の外観を示しており、図２にパチンコ機の本体（１１）を真上から見た平面図において、玉発射用ハンドルの本体（１２）の位置を示している。
図３は、パチンコ機の玉発射用ハンドル（１２）の可動部（１５）を固定するために、従来の固定具（１４）を玉発射用ハンドル（１２）の固定部（１３）と可動部（１５）に跨って設置した状態を示している。
図４は、パチンコ機の玉発射用ハンドル（１２）の可動部（１５）を固定するために、指（１７）に巻かれた状態の本考案に係る固定具（１８）を玉発射用ハンドル（１２）の固定部（１３）と可動部（１５）に跨って接触させた状態を側面から示している。
【００１６】
図５の上図は、本考案に係る固定具の面（Ａ）（ハンドル接触面）を示しており、中央部（２２）が剥離紙を取り付けた粘着面であり、その粘着面の両側（２０，２１）が非粘着面であり、それらの外側にある端部（２３）及び（２４）が共に非粘着面であるか、又は一方の端部（２３）が面ファスナーの雄であり、かつ他方の端部（２４）が非粘着面である構成を示している。下図は、本考案に係る固定具の面（Ｂ）（指接触面）を示しており、端部を除く全面（２７）が剥離紙を取り付けた粘着面又は非粘着面であり、その端部（２５）及び（２６）がそれぞれ面（Ａ）の端部（２３）及び（２４）と表裏の関係にあり、端部（２６）は、面（Ａ）の端部（２３）と接合し、端部（２３）が非粘着面である場合に、剥離紙を取り付けた粘着面であり、面（Ａ）の端部（２３）が面ファスナーの雄である場合に、面ファスナーの雌であり、かつ端部（２５）は全面（２７）と同じ剥離紙を取り付けた粘着面又は非粘着面である構成を示している。面（Ａ）において端部（２４）はその内側の非粘着面（２１）と同じ非粘着面であるため、端部（２４）は非粘着面（２１）と区別する必要はなく、当該非粘着面に同化していてもよい。また、面（Ｂ）において端部（２５）は全面（２７）と同じ剥離紙を取り付けた粘着面又は非粘着面であるため、端部（２５）は全面（２７）と区別する必要はなく、当該全面に同化していてもよい。
【産業上の利用可能性】
【００１７】
本考案により、パチンコ機の玉発射用ハンドルの故障や破損を引き起こすことがなく、パチンコ機の遊技者に害を及ぼすことがなく非常に安全であり、しかも遊技者の手に負担を掛けることが少ない、玉発射用ハンドルの可動部を固定する固定具が提供される。
【符号の説明】
【００１８】
１１    パチンコ機の本体
１２    玉発射用ハンドルの本体
１３    玉発射用ハンドルの固定部
１４    固定具
１５    玉発射用ハンドルの可動部
１６    玉発射用ハンドルの可動部にある指掛け
１７    指
１８    指に巻かれた状態の本考案に係る固定具
１９    本考案に係る固定具の粘着面
２０    非粘着面
２１    非粘着面
２２    中央部の剥離紙を取り付けた粘着面（ハンドル接触面）
２３    非粘着面又は面ファスナー（雄）
２４    非粘着面
２５    剥離紙を取り付けた粘着面又は非粘着面
２６    剥離紙を取り付けた粘着面又は面ファスナー（雌）
２７    剥離紙を取り付けた粘着面又は非粘着面（指接触面）
【手続補正３】
【補正対象書類名】図面
【補正対象項目名】図５
【補正方法】変更
【補正の内容】
【図５】
0003189248.tif 000008
【手続補正書】
【提出日】平成25年12月18日(2013.12.18)
【手続補正１】
【補正対象書類名】実用新案登録請求の範囲
【補正対象項目名】全文
【補正方法】変更
【補正の内容】
【実用新案登録請求の範囲】
【請求項１】
テープ形状をしており、その一方の面（Ａ）は中央部が剥離紙を取り付けた粘着面であり、その粘着面の両側が非粘着面であり、それらの外側にある一方の端部（２３）及び他方の端部（２４）が共に非粘着面であるか、又は一方の端部（２３）が面ファスナーの雄であり、かつ他方の端部（２４）が非粘着面である構成からなり、他方の面（Ｂ）は端部を除く全面が剥離紙を取り付けた粘着面又は非粘着面であり、その一方の端部（２５）及び他方の端部（２６）がそれぞれ前記一方の面（Ａ）の一方の端部（２３）及び他方の端部（２４）と表裏の関係にあり、前記他方の面（Ｂ）の他方の端部（２６）は、前記一方の面（Ａ）の一方の端部（２３）と接合し、当該一方の面（Ａ）の一方の端部（２３）が非粘着面である場合に、剥離紙を取り付けた粘着面であり、当該一方の面（Ａ）の一方の端部（２３）が面ファスナーの雄である場合に、面ファスナーの雌であり、かつ前記他方の面（Ｂ）の一方の端部（２５）は、前記他方の面（Ｂ）の全面と同じ剥離紙を取り付けた粘着面又は非粘着面である構成からなることを特徴とするパチンコ機玉発射用ハンドルの可動部固定具。
【請求項２】
前記一方の面（Ａ）の一方の端部（２３）及び他方の端部（２４）が共に非粘着面であって粘着面の両側にある非粘着面と一体化されており、かつ前記他方の面（Ｂ）の一方の端部（２５）及び他方の端部（２６）が共に剥離紙を取り付けた粘着面であって全面の剥離紙を取り付けた粘着面と一体化されている請求項１に記載のパチンコ機玉発射用ハンドルの可動部固定具。
【請求項３】
前記一方の面（Ａ）がハンドル接触面であり、前記他方の面（Ｂ）が指接触面である請求項１又は２に記載のパチンコ機玉発射用ハンドルの可動部固定具。
【手続補正２】
【補正対象書類名】明細書
【補正対象項目名】０００６
【補正方法】変更
【補正の内容】
【０００６】
本考案のパチンコ機玉発射用ハンドルの可動部固定具は、テープ形状をしており、その一方の面（Ａ）は中央部が剥離紙を取り付けた粘着面であり、その粘着面の両側が非粘着面であり、それらの外側にある一方の端部（２３）及び他方の端部（２４）が共に非粘着面であるか、又は一方の端部（２３）が面ファスナーの雄であり、かつ他方の端部（２４）が非粘着面である構成からなり、他方の面（Ｂ）は端部を除く全面が剥離紙を取り付けた粘着面又は非粘着面であり、その一方の端部（２５）及び他方の端部（２６）がそれぞれ前記一方の面（Ａ）の一方の端部（２３）及び他方の端部（２４）と表裏の関係にあり、前記他方の面（Ｂ）の他方の端部（２６）は、前記一方の面（Ａ）の一方の端部（２３）と接合し、当該一方の面（Ａ）の一方の端部（２３）が非粘着面である場合に、剥離紙を取り付けた粘着面であり、当該一方の面（Ａ）の一方の端部（２３）が面ファスナーの雄である場合に、面ファスナーの雌であり、かつ前記他方の面（Ｂ）の一方の端部（２５）は、前記他方の面（Ｂ）の全面と同じ剥離紙を取り付けた粘着面又は非粘着面である構成からなることを特徴とする。
本考案に係る固定具として、前記一方の面（Ａ）の一方の端部（２３）及び他方の端部（２４）が共に非粘着面であって粘着面の両側にある非粘着面と一体化されており、かつ前記他方の面（Ｂ）の一方の端部（２５）及び他方の端部（２６）が共に剥離紙を取り付けた粘着面であって全面の剥離紙を取り付けた粘着面と一体化されているものが最もシンプルである。